(57)【要約】【課題】使用者の身体を活性化させる光を照射しつつ、使用者が眩しさを感じ難い光を出射することができる発光装置を提供する。【解決手段】浴光装置１は、身体を活性化させる光を照射する。また、浴光装置１は、青色光源９２と、白色光源９１と、青色光源９２及び白色光源９１が照射する光の照射強度を調節する制御部１７とを備える。また、制御部１７は、白色光源９１を常時点灯し、青色光源９２を点灯と消灯とを繰り返すように制御する。そして、白色光源９１に含まれる身体を活性化させる光の照射強度と、青色光源９２に含まれる身体を活性化させる光の照射強度との和が、身体を活性化させる効果を表す生体作用閾値以上である。【選択図】図２
2018088373.tif 000002
【特許請求の範囲】
【請求項１】
身体を活性化させる光を含んだ発光装置であって、
青色光源と、
白色光源と、
前記青色光源及び前記白色光源が照射する光の照射強度を調節する制御部とを備え、
前記制御部は、前記白色光源を常時点灯し、前記青色光源を点灯と消灯とを繰り返すように制御し、
前記白色光源に含まれる身体を活性化させる光の照射強度と、前記青色光源に含まれる身体を活性化させる光の照射強度との和が、身体を活性化させる効果を表す生体作用閾値以上である
発光装置。
【請求項２】
前記繰り返しにおける点灯時間の前記青色光源のデューティ比は、２０％以上７５％以下である
請求項１記載の発光装置。
【請求項３】
前記青色光源が点灯と消灯とを繰り返す周波数は、５００Ｈｚ以上である
請求項１又は２記載の発光装置。
【請求項４】
前記青色光源における発光面の平均輝度と、前記白色光源における発光面の平均輝度との和が、人が感じる眩しさの許容限界を表す知覚感度以下である
請求項１〜３のいずれか１項に記載の発光装置。
【請求項５】
当該発光装置が照射する光の明るさは、７５０ｌｘ以上である
請求項１〜４のいずれか１項に記載の発光装置。
【請求項６】
さらに、当該発光装置が照射する光の明るさは、１５００ｌｘ以上である
請求項５に記載の発光装置。
【請求項７】
前記制御部は、さらに、
身体を活性化させるために必要な第１照射時間に、前記青色光源のデューティ比を徐算して第２照射時間を算出し、
前記第２照射時間の間、前記青色光源及び前記白色光源が光を照射するように制御する
請求項１〜６のいずれか１項に記載の発光装置。
【請求項８】
さらに、
一対の発光モジュールを収容している筐体と、
前記筐体に形成された開口を覆うように設けられる透光板とを備え、
一方の前記発光モジュールと他方の前記発光モジュールとは、前記開口に対して略直交する姿勢で、前記筐体内において互いに向き合うように設けられる
請求項１〜７のいずれか１項に記載の発光装置。
【請求項９】
一方の前記発光モジュールは、前記白色光源と、前記青色光源とを有し、
他方の前記発光モジュールは、前記青色光源を有し、
一方の前記発光モジュールにおける前記青色光源は、前記白色光源よりも、前記開口と対向する前記筐体の底部側に設けられる
請求項８記載の発光装置。
【発明の詳細な説明】
【技術分野】
【０００１】
本発明は、身体を活性化するための光を出射する発光装置に関する。
【背景技術】
【０００２】
従来、青色光を発する第１発光体（青色光源の一例）と、第１発光体と異なる発光ピーク波長を持つ青色光を発する第２発光体（青色光源の一例）と、第１発光体及び第２発光体を選択的に点灯させる点灯制御手段とを備えた発光装置が開示されている（例えば特許文献１参照）。また、この発光装置では、第１発光体及び第２発光体等を組み合わせて白色光を発することが開示されている。
【０００３】
この発光装置では、生体リズムを調整する機能が持たされ、青色光源として波長４４５〜４８０ｎｍの発光体を利用することで、点灯中は常に生体リズムに影響を与える。
【先行技術文献】
【特許文献】
【０００４】
【特許文献１】特開２００５−６３６８７号公報
【発明の概要】
【発明が解決しようとする課題】
【０００５】
しかしながら、従来の発光装置では、青色光源が点灯中に常に生体リズムに影響を与える光を照射するため、使用者は眩しく感じてしまう。そこで、発光装置が発する光の明るさを低下させれば、眩しさを感じにくくなるが、光の明るさが低下することで、生体リズムに影響を与え難くなってしまう。このため、使用者の身体を活性化させる光を照射しつつ、使用者が眩しさを感じ難い光を出射する発光装置が求められている。
【０００６】
そこで、本発明は、使用者の身体を活性化させる光を照射しつつ、使用者が眩しさを感じ難い光を出射することができる発光装置を提供することを目的とする。
【課題を解決するための手段】
【０００７】
上記目的を達成するため、本発明の一態様に係る発光装置は、身体を活性化させる光を含んだ発光装置であって、青色光源と、白色光源と、前記青色光源及び前記白色光源が照射する光の照射強度を調節する制御部とを備え、前記制御部は、前記白色光源を常時点灯し、前記青色光源を点灯と消灯とを繰り返すように制御し、前記白色光源に含まれる身体を活性化させる光の照射強度と、前記青色光源に含まれる身体を活性化させる光の照射強度との和が、身体を活性化させる効果を表す生体作用閾値以上である。
【発明の効果】
【０００８】
本発明によれば、使用者の身体を活性化させる光を照射しつつ、使用者が眩しさを感じ難い光を出射することができる。
【図面の簡単な説明】
【０００９】
【図１】実施の形態に係る浴光装置を示す斜視図である。
【図２】図１のＩＩ−ＩＩ線における実施の形態に係る浴光装置を示す断面図である。
【図３】実施の形態に係る浴光装置を示すブロック図である。
【図４】実施の形態に係る浴光装置における白色光源のスペクトル、青色光源のスペクトル、標準比視感度曲線及び身体作用感度曲線を示す図である。
【図５】図５の（ａ）は、実施の形態に係る浴光装置における青色光の時間と照射強度との関係を示す図である。図５の（ｂ）は、実施の形態に係る浴光装置における知覚感度を示す図である。
【図６】図６の（ａ）は白色光源９１の白色光における波長と照射強度との関係を示すスペクトル図である。図６の（ｂ）は青色光源９２の青色光における波長と照射強度との関係を示すスペクトル図である。図６の（ｃ）は、連続点灯する白色光と連続点灯する青色光における、波長と照射強度との関係を示すスペクトル図である。図６の（ｄ）は、連続点灯する白色光とＰＷＭ点灯する青色光とにおける、波長と照射強度との関係を示すスペクトル図である。
【図７】実施の形態に係る浴光装置から出射した光を示す説明図である。
【発明を実施するための形態】
【００１０】
（本発明の基礎となった知見）
一般的に、眼から所定の波長を有する光を取り入れることで、身体の活性化を行えることが知られている。身体を活性化する光は、青色光と、白色光とがある。青色光では、所定時間以上青色を含む光を浴びると、生体リズム（概日リズム）を改善する効果があることが知られている。特に、午前から午後３時頃までの間に青色の光を浴びると、セロトニン等の生体ホルモンの生成量を促進する効果があることが知られている。また、白色光では、白色を含む光を所定時間以上浴びると、脳波が活性する効果があることが知られている。このため、この青色光と白色光とを同時に眼から取り入れることで、身体の活性化を行うことが望ましい。ここで、生体リズムとは、人の生理現象として、一定の時刻になると自然に眠くなり、一定時間眠ると自然に目が覚めるという生体リズムが約１日の周期で行われているリズムである。
【００１１】
浴光することでセロトニンの分泌量が増加すると、生体リズム（体内時計）に関わるメラトニンの生成が促進される。夜間ではメラトニンが生成され易いため、質の高い睡眠を得ることができる。
【００１２】
人間の眼の感度は、主に、３８０ｎｍから７８０ｎｍまでの波長の光を認識することが知られている。人間の生体リズムに最も影響を与える感度（光生体作用感度ともいう）は、４６０ｎｍから４９０ｎｍまでの青色光にピークを持つことが知られている（本実施の形態では、ピークを４８０ｎｍとしている）。このため、人間の眼にあてる光は、４６０ｎｍから４９０ｎｍまでの波長の光が多く含まれていることが望ましい。
【００１３】
このような青色光において、生体作用閾値（＝光生体作用感度×放射照度）が約１．７５μＷ／ｃｍ２で累積１．５時間以上、光を浴びることで、身体を活性化させる効果がある。つまり、単に青色光を浴びるだけではなく、所定の明るさで所定の時間、青色光を浴びることで身体を活性化させることができる。光生体作用感度は、係数である。
【００１４】
これらのことから、人間の眼には、効率よく光を取り入れることが望ましい。しかし、眼から光を取り入れる場合において、発光装置が出射する光が明るければ、人は眩しく感じてしまう。このため、人が眩しさを感じれば、発光装置から照射された光を不快に感じてしまい、積極的に光を浴びたいという誘因が働き難くなる。
【００１５】
また、人間の眼の感度は、５５５ｎｍの波長の光に対して一番高い感度を有し、５５５ｎｍの波長の光から離れるに従い、感度が低下することが知られている。このため、人間の眼の特性（比視感度）から、人間が光を眩しく感じ難くするには、この５５５ｎｍ付近の輝度を下げれば効果的であると考えられる。
【００１６】
明るさを低下させれば眩しさを感じ難くなるが、単に出射する光の明るさを低下させるだけでは、身体を活性化する効果のある光を出射することができない。使用者の身体を活性化させる光を照射しつつ、使用者が眩しさを感じ難い光を出射する発光装置が求められている。
【００１７】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１８】
また、「略＊＊」との記載は、「略同一」を例に挙げて説明すると、全く同一はもとより、実質的に同一と認められるものを含む意図である。
【００１９】
なお、各図は、模式図であり、必ずしも厳密に図示されたものではない。また、各図において、実質的に同一の構成に対しては同一の符号を付しており、重複する説明は省略又は簡略化する。
【００２０】
以下、本発明の実施の形態に係る発光装置について説明する。
【００２１】
（実施の形態）
［構成］
まず、本実施の形態に係る浴光装置１の構成について、図１から図３を用いて説明する。本実施の形態では、発光装置の一例として浴光装置を用いて説明する。
【００２２】
図１は、本実施の形態に係る浴光装置を示す斜視図である。図２は、図１のＩＩ−ＩＩ線における本実施の形態に係る浴光装置を示す断面図である。図３は、本実施の形態に係る浴光装置を示すブロック図である。
【００２３】
図１では、浴光装置１の短手方向をＹ軸方向と規定し、浴光装置１の長手方向をＺ軸方向と規定し、Ｙ軸方向及びＺ軸方向と直交する方向をＸ軸方向と規定する。そして、図２以降の各図に示す各方向は、全て図１に示す各方向に対応させて表示する。なお、図１では、Ｘ軸方向、Ｙ軸方向及びＺ軸方向は、使用態様によって変化するため、これには限定されない。以降の図においても、同様である。なお、本実施の形態では、浴光装置１からの出射方向をＸ軸プラス方向と規定する。
【００２４】
図１に示すように、浴光装置１は、透光板１３側から使用者に身体を活性化させる光を出射する装置である。身体を活性化させる光とは、本実施の形態では、青色光を多く含んだ光と、青色光に白色光を付加した光である。本実施の形態では、青色光と白色光とを同時に出射することができる。この浴光装置１では、例えば、オフィス等におけるデスク、化粧台などに載置して身体を活性化させる光を浴びることができる。
【００２５】
なお、ここでいう青色光とは、厳密な意味で青色を意味しているのではなく、通常、青色と見える光を意味し、例えば４３０ｎｍから４９５ｎｍまでの波長を有する光である。また、ここでいう白色光とは、厳密な意味で白色を意味しているのではなく、通常、白色と見える光を意味し、可視光線の各色の光（例えば、青色光（４３０〜４９５ｎｍ）、緑色光（４９５〜５７０ｎｍ）、赤色光（６２０〜７５０ｎｍ）等の光）が略均一に混ざった光である。
【００２６】
図２及び図３に示すように、浴光装置１は、扁平な矩形の箱状をなしている。浴光装置１は、筐体３と、拡散シート７と、２つの発光モジュール９、１０と、制御部１７と、電源部１５と、透光カバー１１と、透光板１３とを有する。
【００２７】
筐体３は、Ｘ軸方向に扁平な有底の箱であり、拡散シート７と、発光モジュール９、１０と、電源部１５とを収容している。本実施の形態の筐体３は、平面視した場合の形状がＺ軸方向に長尺な長方形状である。
【００２８】
また、筐体３には、Ｘ軸プラス方向側（正面側）で開く開口３１が形成されている。筐体３の内面には、光を拡散（反射）する白色の拡散シート７が一様に設けられる。本実施の形態では、拡散シート７は、筐体３内における、底面（Ｘ軸プラス方向側の面）、Ｙ軸プラス方向側の面、Ｙ軸マイナス方向側の面、Ｚ軸プラス方向側の面、及びＺ軸マイナス方向側の面を覆うように設けられる。
【００２９】
拡散シート７は、例えば、アクリルやポリカーボネート等の透光性樹脂材料又は透明なガラス材料等の透光性を有する材料で形成される。また、本実施の形態では、拡散シート７は、光を拡散する機能を有する。例えば、シリカもしくは炭酸カルシウムなどの光拡散材（微粒子）を含有する樹脂または白色顔料を、拡散シート７の内面または外面に付着させることで、乳白色の光拡散膜が拡散シート７に形成される。また、拡散シート７そのものが、光拡散材が分散された樹脂材料等を用いて成形されてもよい。
【００３０】
拡散シート７には、拡散加工を施すことによって光拡散性を有するように構成されていてもよい。例えば、シボ加工等の表面処理を施すことによって拡散シート７の表面に微小凹凸を形成したり、透明カバーの表面にドットパターンを印刷したりすることによって光拡散性を有するように構成してもよい。
【００３１】
なお、拡散シート７は、透光性を有する材料（透明又は半透明な材料）に限らない。拡散シート７は、例えば、アルミニウム等の金属材料を用いてもよく、硬質の白色樹脂材料（不透明樹脂）を用いてもよい。つまり、拡散シート７は、入射した光を拡散（反射）する機能を有していればよい。
【００３２】
発光モジュール９、１０は、複数の光源（後述する、白色光源９１及び青色光源９２）と、複数の光源が配置される配線基板９３とを有するモジュールであり、Ｙ軸方向に長尺な板状をなしている。複数の光源は、配線基板９３上にＹ軸方向に並ぶように実装されている。本実施の形態では、発光モジュール９、１０は、筐体３内のＺ軸プラス方向側の面とＺ軸マイナス方向側の面とに設けられている。
【００３３】
光源は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。
【００３４】
光源は、浴光装置１に設けられている制御部１７により制御されて、点灯と消灯とを繰り返すような発光（間欠的な発光）を行う。また、光源は、制御部１７が電源部１５を制御して（電力の供給量を調節することで）調光制御及び調色制御が行われる。本実施の形態では、発光モジュール９、１０は、調光制御（明るさの制御）および調色制御（発光色の制御）が可能であってもよい。制御部１７は、例えば、入力された信号に応じて発光モジュール９、１０に供給する電流値等を制御するマイクロコンピュータ、プロセッサ、または専用回路等によって実現される。
【００３５】
複数の光源は、配線基板９３の長さ方向（Ｙ軸方向）に沿って等間隔に配列されて、Ｘ軸方向に複数列並んでいる。本実施の形態では、Ｘ軸方向に二列の光源が並んでいる。
【００３６】
本実施の形態では、一方（Ｚ軸プラス方向側）の発光モジュール９と他方（Ｚ軸マイナス方向側）の発光モジュール１０とは、開口３１に対して略直交する姿勢で、筐体３内において互いに向き合うように設けられる。
【００３７】
一方の発光モジュール９は、白色光源９１と、青色光源９２とを有する。筐体３内に設けられている一方の発光モジュール９において、Ｘ軸プラス方向側に一列でＹ軸方向に並ぶ複数の光源は、白色光を出射する白色光源９１である。言い換えれば、白色光源９１は、青色光源９２よりも、開口３１側に設けられる。また、他方の発光モジュール１０において、白色光源９１より奥側（白色光源９１よりＸ軸マイナス方向側）の一列でＹ軸方向に並ぶ複数の光源は、青色光を出射する青色光源９２である。言い換えれば、青色光源９２は、白色光源９１よりも、開口３１と対向する筐体３の底部側に設けられる。
【００３８】
本実施の形態では、白色光源９１及び青色光源９２の各々は、各々の光軸Ｊが平行となるように配線基板９３に設けられる。また、白色光源９１は、２０００Ｋ以上８０００Ｋ以下の色温度の光を出射する。本実施の形態では、白色光源９１の色温度は、約３０００Ｋである。白色光源９１の光の色温度が２０００Ｋ以上８０００Ｋ以下であれば、汎用的な光源を採用することができるため、製造コストが高騰化し難い。
【００３９】
一方、他方の発光モジュール１０は、青色光源９２を有する。筐体３内に設けられている他方の発光モジュール１０において、Ｘ軸プラス方向側の二列でＹ軸方向に並ぶ複数の光源は、青色光を出射する青色光源９２である。本実施の形態では、青色光源９２の各々は、各々の光軸Ｊが平行となるように配線基板９３に設けられる。
【００４０】
なお、本実施の形態では、発光モジュール９、１０は、光軸Ｊが互いに略平行になるように設けられるが、必ずしも略平行でなくてもよい。つまり、発光モジュール９、１０を傾けた状態で配置してもよい。
【００４１】
制御部１７は、操作部からの指示にしたがって、青色光源９２及び白色光源９１が照射する光の照射強度（調光）を制御する。言い換えれば、制御部１７は、操作部から信号線を通じて受信した指示に基づいて、発光モジュール９、１０の照射強度を制御する。制御部１７は、例えば、ＰＷＭ（Ｐｕｌｓｅ  Ｗｉｄｔｈ  Ｍｏｄｕｌａｔｉｏｎ）信号を発光モジュール９、１０に出力し、ＰＷＭ信号のデューティ比の変更により、発光モジュール９、１０の照射強度を制御する。これにより、浴光装置１から出射する光の照射強度を制御する。
【００４２】
本実施の形態では、制御部１７は、一方の発光モジュール９の白色光源９１を常時点灯させた状態で、発光モジュール９、１０の青色光源９２を、ＰＷＭ信号のデューティ比を変更させたＰＷＭ調光を行う。つまり、制御部１７は、青色光源９２を点灯と消灯とを繰り返すように制御する。ＰＷＭ調光は、制御部１７から送られてきたＰＷＭ信号に従って、青色光源９２の明るさを制御する調光である。なお、発光モジュール９、１０のいずれかの青色光源９２をＰＷＭ調光させてもよい。青色光源９２のＰＷＭ調光は、駆動回路における平滑コンデンサを用いずにダイオード、コイル等で実現する。
【００４３】
制御部１７は、青色光源９２が点灯と消灯とを繰り返す周波数（ＰＷＭ周波数）を５００Ｈｚにする。これは、ＪＩＳ規格には、「光出力は、人がちらつきを感じるものであってはならない」と規定されており、その規定の一つに「光出力の繰り返し周波数が５００Ｈｚ以上である」という条件を満たす必要がある。本実施の形態では、制御部１７は、約１ｋＨｚのＰＷＭ周波数で青色光源９２をＰＷＭ調光する。
【００４４】
制御部１７は、身体を活性化させるために必要な第１照射時間に、青色光源９２のデューティ比を徐算して第２照射時間を算出する。制御部１７は、算出した第２照射時間の間、青色光源９２及び白色光源９１が光を照射するように制御する。具体的には、生体作用閾値が約１．７５μＷ／ｃｍ２の場合に、１．５時間の光を浴びることが必要とされているため、例えば、デューティ比を５０％とした場合、制御部１７は、１．５÷０．５で第２照射時間が３時間と算出する。そして、例えば、制御部１７は、生体作用閾値が約１．７５μＷ／ｃｍ２で３時間、青色光源９２及び白色光源９１が光を照射するように制御する。なお、約１．７５μＷ／ｃｍ２の場合の１．５時間が第１照射時間の一例であり、算出した３時間が第２照射時間の一例であり、これらの数値に限定されない。
【００４５】
本実施の形態では、制御部１７は、繰り返しにおける点灯時間の青色光源９２のデューティ比（オンデューティ）を２０％以上７５％以下に設定している。デューティ比が７５％より大きくなると、浴光装置１から青みの強い光が出射されるため、身体を活性化させるための浴光時間が長くなり難い。一方、デューティ比が２０％未満では、青みの強さが抑えられるものの、身体を活性化させるための浴光時間が長くなる。例えば、デューティ比が１０％では、浴光時間の累積が１２時間必要となるため、仮に午前６時に起床したとしても、午後３時までに１２時間の浴光時間を確保できない。
【００４６】
図４は、本実施の形態に係る浴光装置１における白色光源のスペクトル、青色光源のスペクトル、標準比視感度曲線及び身体作用感度曲線を示す図である。図５の（ａ）は、本実施の形態に係る浴光装置１における青色光の時間と照射強度との関係を示す図である。図５の（ｂ）は、本実施の形態に係る浴光装置１における知覚感度を示す図である。
【００４７】
図４では、波長と光の照射強度との関係から、青色光源９２の光を実線で示し、白色光源９１の光を破線で示す。また、波長と感度との関係から、標準比視感度曲線を一点鎖線で示し、身体作用感度曲線を二点鎖線で示す。
【００４８】
標準比視感度とは、国際照明委員会（ＣＩＥ）において国際標準として定められた明所視の比視感度であり、波長５５５ｎｍの光に対して感じる明るさを１とした場合の、同じ強さの光の波長に対する視感度の比率（相対的な感度）を表している。身体作用感度とは、波長４８０ｎｍの光に対して身体を活性化させる（人間の生体リズムに最も影響を与える）最も適した光の波長を１とした場合の、同じ強さの光の波長に対する感度の比率（相対的な感度）を表している。
【００４９】
図４及び図５の（ａ）に示すように、制御部１７は、浴光装置１から身体を活性化させる効果のある生体作用閾値以上の光を出射させるように制御する。具体的には、制御部１７は、白色光源９１の光に含まれる身体を活性化させる光と、青色光源９２の光との和が、身体を活性化させる効果を表す生体作用閾値以上の青色光を出射させるように電源部１５を制御する。ここで、生体作用閾値は、所定の明るさを有する光を所定時間浴びることで、体内からメラトニンと呼ばれる、睡眠ホルモンの分泌が活発となる閾値である。本実施の形態では、生体作用閾値における、浴光装置１から放射される生体作用閾値を約１．７５μＷ／ｃｍ２以上としている。つまり、生体作用閾値が約１．７５μＷ／ｃｍ２以下では、身体を活性化させる効果を得難い。
【００５０】
制御部１７は、白色光源９１に含まれる身体を活性化させる光の照射強度と、青色光源９２に含まれる身体を活性化させる光の照射強度との和が、身体を活性化させる効果を表す生体作用閾値以上の光を出射させるように、発光モジュール９、１０を制御する。具体的には、青色光源９２が点灯及び点滅を行う１周期において、身体作用感度曲線におけるピーク値の感度Ｖ（ε）を１とすると、身体作用感度曲線ＶS（ε）を、ＶS（ε）に対応する白色光源９１の光のスペクトル分布ΦＷ（ε）に乗算した値（白色光源９１に含まれる身体を活性化させる光の照射強度の一例）、及びＶS（ε）に対応する青色光源９２の光のスペクトル分布ΦＢ（ε）に乗算した値（青色光源９２に含まれる身体を活性化させる光の照射強度の一例）の合計∫（ＶS（ε）ΦＷ（ε）＋ＶS（ε）ΦＢ（ε））ｄεが生体作用強度以上である。つまり、身体作用感度曲線ＶS（ε）をスペクトル分布ΦＷ（ε）で表した相対値の積分と、身体作用感度曲線ＶS（ε）をスペクトル分布ΦＢ（ε）で表した相対値の積分との和である。
【００５１】
また、図５の（ｂ）に示すように、制御部１７は、青色光源９２のＰＷＭ調光に伴うデューティ比によって、白色光源９１の明るさを変更する。具体的には、制御部１７は、浴光装置１から、単位時間当たりの青色光源９２における発光面の平均輝度と、単位時間当たりの白色光源９１における発光面の平均輝度との和が、人が感じる眩しさの許容限界を表す知覚感度以下となる光を出射させるように制御する。なお、本実施の形態では、浴光装置１が透光板１３を用いているため、白色光源９１の発光面及び青色光源９２の発光面の代わりに、浴光装置１の出射面から出射する光の平均輝度としてもよい。
【００５２】
より具体的には、青色光源９２が点灯及び点滅を行う１周期において、標準比視感度曲線におけるピーク値の感度Ｖｓ（λ）を１とすると、標準比視感度曲線に依存する感度Ｖｓ（λ）を、Ｖｓ（λ）に対応する青色光源９２の光のスペクトル分布ΦＢ（λ）を乗算した値、及びＶｓ（λ）に対応する白色光源９１の光のスペクトル分布ΦＷ（λ）を乗算した値の合計∫（Ｖｓ（λ）ΦＢ（λ）＋Ｖｓ（λ）ΦＷ（λ））ｄλが知覚強度以下となるように、制御部１７が青色光源９２を制御する。知覚感度とは、主観評価により導き出された、人間が眩しさを感じる許容限界である。知覚感度を超える場合に人は眩しく感じ、知覚感度以下の場合に人は眩しく感じ難い。
【００５３】
本実施の形態において、知覚感度は、以下の主観評価に基づいて導き出した。被検者の前方３０ｃｍの位置に正方形の発光体を設置し、この発光体の面積と被検者の顔面照度とをパラメータ化して、眩しさの主観評価を実施した。発光体の平均輝度が２００００ｃｄ／ｍ２までの場合は約８０％の被検者が許容できる眩しさであるとする結果を得たため、この数値を知覚感度とした。
【００５４】
制御部１７は、白色光源９１の明るさと、青色光源９２のデューティ比とを制御する。例えば、白色光源９１だけで身体を活性化させるためには、白色光源９１の明るさ（照度）を３０００ｌｘ以上にする必要がある。しかし、白色光に青色光を加えれば、浴光装置１の明るさ（照度）を１５００ｌｘに抑えても身体を活性化させる効果を得ることができる。つまり、青色光源９２のオンデューティが大きくなれば青色光源９２の明るさが増すため、制御部１７は、白色光源９１の明るさを低下させる。また、青色光源９２のオンデューティが小さくなれば青色光源９２の明るさが低下するため、制御部１７は、白色光源９１の明るさを増加させる。なお、図５の（ａ）では、白色光源９１及び青色光源９２の光をそれぞれ一定にしているが、あくまでも一例であり、白色光源９１に含まれる青色光の照射強度と、青色光源９２の青色光の照射強度とが一定とは限らない。
【００５５】
また、浴光装置１の明るさ（照度）を示す１５００ｌｘは、一例である。例えば、白色光源９１の色温度を５０００Ｋとし、生体作用閾値を約１．７５μＷ／ｃｍ２とした場合、浴光装置１の明るさ（照度）は、約７５０ｌｘ以上、より好ましくは１５００ｌｘ以上でもよい。
【００５６】
電源部１５は、発光モジュール９、１０を発光させるための電力を生成する電源回路によって構成されている。電源部１５は、例えば、電力系統から供給される電力を、整流、降圧等をして所定レベルの直流電力に変換し、当該直流電力を発光モジュール９、１０に供給する。電源部１５は、制御線等の電力線によって電力系統と電気的に接続される。
【００５７】
電源部１５は、制御部１７により制御されることで、発光モジュール９、１０への電力供給をＯＮ及びＯＦＦする。例えば、リモコン等の操作部を介して点灯する操作を受けた場合には、制御部１７は、電源部１５から電力を発光モジュール９、１０に供給し、発光モジュール９、１０を点灯させる。また、操作部が消灯の操作を受けた場合には、制御部１７は、電源部１５からの発光モジュール９、１０への電力の供給を遮断することで、発光モジュール９、１０を消灯させる。
【００５８】
なお、この浴光装置１では、１つの電源部１５で白色光源９１及び青色光源９２を点灯させてもよく、白色光源９１及び青色光源９２の各々を点灯させる２つの電源部１５であってもよい。白色光源９１及び青色光源９２の各々を点灯させる２つの電源部１５がある場合、電源部１５に接続されている操作部の操作により、調光制御及び調色制御が行われる。
【００５９】
透光カバー１１は、発光モジュール９、１０を覆うように、筐体３に固定されている。本実施の形態では、２つの透光カバー１１が各々の発光モジュール９、１０を覆っている。透光カバー１１は、透光性を有するＹ軸方向に長尺な部材であり、Ｘ軸方向及びＺ軸方向で規定される平面で断面視した場合に、弧を描くように湾曲している。
【００６０】
２つの透光カバー１１も、拡散シート７と同様の材料で形成されていてもよく、拡散シート７と同様の光を拡散する機能を有していてもよく、拡散シート７と同様の光拡散性を有する拡散加工が施されていてもよい。
【００６１】
透光板１３は、透光性を有する板状をなした平板であり、筐体３の開口３１側と同等の大きさの長方形状をなしている。透光板１３は、筐体３の開口３１を覆うように筐体３のＸ軸プラス方向側の端縁に固定されている。透光板１３は、白色光源９１及び青色光源９２から出射される光を拡散する機能を有する。透光板１３も、拡散シート７と同様の材料で形成されていてもよく、拡散シート７と同様の光を拡散する機能を有していてもよく、拡散シート７と同様の光拡散性を有する拡散加工が施されていてもよい。
【００６２】
次に、浴光装置１から出射する光のスペクトルについて説明する。
【００６３】
図６の（ａ）は、白色光源９１の白色光における波長と照射強度との関係を示すスペクトル図である。図６の（ｂ）は、青色光源９２の青色光における波長と照射強度との関係を示すスペクトル図である。図６の（ｃ）は、連続点灯する白色光と連続点灯する青色光における、波長と照射強度との関係を示すスペクトル図である。図６の（ｄ）は、連続点灯する白色光とＰＷＭ点灯する青色光とにおける、波長と照射強度との関係を示すスペクトル図である。
【００６４】
つまり、浴光装置１の白色光源９１だけを常時点灯させた場合、図６の（ａ）に示すように見える。浴光装置１の青色光源９２だけを常時点灯させた場合、図６の（ｂ）に示すように見える。浴光装置１の白色光源９１及び青色光源９２を共に常時点灯させた場合、図６の（ｃ）に示すように見える。浴光装置１の白色光源９１を常時点灯させ、青色光源９２をＰＷＭ点灯させた場合、図６の（ｄ）に示すように見える。
【００６５】
使用者には、図６の（ｄ）のように認識されるが、実際には、図６の（ａ）の状態と図６の（ｃ）の状態とが交互に行われている。
【００６６】
図７は、本実施の形態に係る浴光装置１から出射した光を示す説明図である。
【００６７】
このような構成の浴光装置１では、図７に示すように、発光モジュール９、１０の白色光源９１及び青色光源９２を点灯させると、発光モジュール９が設けられている一方側が白色に見え、発光モジュール１０が設けられている他方側が青色に見える。具体的には、透光板１３における一方側から他方側（本実施の形態では、Ｚ軸マイナス方向側からＺ軸プラス方向側）に向かうに従って、グラデーションのように白色から次第に青色に変化する。
【００６８】
この浴光装置１では、青色光を間欠的に発光させることで、白色光に青色光を重畳させた光が浴光装置１から出射する。このため、白色光源９１及び青色光源９２を常時点灯させる場合に比べて、浴光装置１から出射する光の明るさを抑制することができる。
【００６９】
使用者がこの浴光装置１を用いて浴光する場合、所定距離離れた場所に載置し、浴光装置１から青色光及び白色光を出射させる。こうして、使用者は、浴光装置１から出射される青色光及び白色光を同時に浴びる。所定の明るさを有する光を所定時間浴びれば、体内からメラトニンと呼ばれる、睡眠ホルモンの分泌が活発となる。使用者は、この浴光装置１を用いて毎日浴光すれば、身体を活性化することが期待できる。
【００７０】
［作用効果］
次に、本実施の形態における浴光装置１の作用効果について説明する。
【００７１】
上述したように、本実施の形態に係る浴光装置１には、身体を活性化させる光が含まれる。また、浴光装置１は、青色光源９２と、白色光源９１と、青色光源９２及び白色光源９１が照射する光の照射強度を調節する制御部１７とを備える。また、制御部１７は、白色光源９１を常時点灯し、青色光源９２を点灯と消灯とを繰り返すように制御する。そして、白色光源９１に含まれる身体を活性化させる光の照射強度と、青色光源９２に含まれる身体を活性化させる光の照射強度との和が、身体を活性化させる効果を表す生体作用閾値以上である。
【００７２】
これによれば、白色光源９１が常時点灯し、青色光源９２を点灯と消灯とを繰り返すため、白色光源９１及び青色光源９２が常時点灯する場合に比べて、浴光装置１の光の明るさが低下している。このため、これら光源が常時点灯した場合に比べて使用者が眩しく感じ難い。
【００７３】
また、光の明るさが低下しても、身体を活性化させる効果を表す生体作用閾値以上の光を照射するため、生体リズムに影響を与えることができる。
【００７４】
したがって、この浴光装置１では、使用者の身体を活性化させる光を照射しつつ、使用者が眩しさを感じ難い光を出射することができる。
【００７５】
また、上述したように、本実施の形態に係る浴光装置１において、繰り返しにおける点灯時間の青色光源９２のデューティ比は、２０％以上７５％以下である。
【００７６】
これによれば、青色光源９２のデューティ比が２０％以上であるため、午前から午後３時までの間に浴光時間を確保することができる。例えば、青色光源９２のデューティ比が２０％であれば、午前７時に起きた場合でも、午後３時までに浴光時間を確保することができる。
【００７７】
また、青色光源９２のデューティ比が７５％以下であるため、デューティ比が１００％の場合に比べて、使用者が青みがかって見えることを抑制することができるため、使用者を見た他人が違和感を覚え難い。このため、この浴光装置１では、青色光源９２のデューティ比が最適な範囲であるため、最適な浴光環境を提供することができる。
【００７８】
また、上述したように、本実施の形態に係る浴光装置１において、青色光源９２が点灯と消灯とを繰り返す周波数は、５００Ｈｚ以上である。
【００７９】
これによれば、使用者は、チラツキを感じ難い周波数であるため、浴光装置１を使用しても不快に感じ難い。
【００８０】
また、上述したように、本実施の形態に係る浴光装置１において、青色光源９２における発光面の平均輝度と、白色光源９１における発光面の平均輝度との和が、人が感じる眩しさの許容限界を表す知覚感度以下である。
【００８１】
これによれば、知覚感度以下であるため、使用者は、浴光装置１が出射した光を眩しく感じ難い。
【００８２】
また、上述したように、本実施の形態に係る浴光装置１が照射する光の明るさは、７５０ｌｘ以上であってもよい。また、上述したように、本実施の形態に係る浴光装置１が照射する光の明るさは、１５００ｌｘ以上であってもよい。
【００８３】
これらによれば、例えば、白色光源９１だけで身体を活性化させるために、白色光源９１の明るさを３０００ｌｘ以上にしなくても、白色光に間欠的な青色光を加えるだけで、浴光装置１の明るさを約７５０ｌｘから１５００ｌｘ程度に抑えても身体を活性化させる効果を得ることができる。このため、白色光源９１だけの光を出射する場合に比べて明るさを低下させることができる。このため、使用者が眩しさを感じ難い。
【００８４】
また、上述したように、本実施の形態に係る浴光装置１における、制御部１７は、さらに、身体を活性化させるために必要な第１照射時間に、青色光源９２のデューティ比を徐算して第２照射時間を算出する。そして、制御部１７は、第２照射時間の間、青色光源９２及び白色光源９１が光を照射するように制御する。
【００８５】
これによれば、制御部１７は、適切な照射時間で、所定の明るさの光を使用者に照射するため、使用者の身体を活性化させることができる。
【００８６】
特に、使用者が浴光装置１を使用中にデューティ比を変更しても、制御部１７が第２照射時間を算出すれば、より適切に使用者の身体を活性化させることができる。
【００８７】
また、上述したように、本実施の形態に係る浴光装置１は、さらに、一対の発光モジュール９、１０を収容している筐体３と、筐体３に形成された開口３１を覆うように設けられる透光板１３とを備える。そして、一方の発光モジュール９と他方の発光モジュール１０とは、開口３１に対して略直交する姿勢で、筐体３内において互いに向き合うように設けられる。
【００８８】
これによれば、筐体３の底部３２で、これら白色光源９１及び青色光源９２の光軸ＪがＺ軸プラス方向を向くように一様に配置する場合に比べ、本実施の形態に係る浴光装置１の構成によれば、一対の発光モジュール９、１０を互いに向き合うように配置するだけで、青色光源９２及び白色光源９１の数を削減することができる。また、本実施の形態に係る浴光装置１のように、他方の発光モジュール１０と一方の発光モジュール９とを互いに向き合うように配置しても、浴光装置１から青色光及び白色光を出射することができる。このため、この浴光装置１では、部品点数の増加によるコストの高騰化を防止することができる。
【００８９】
なお、一般的に、所定時間以上、青色を含む光を浴びると、生体リズムを改善する効果があることが知られている。また、一般的に、所定時間以上、白色を含む光を浴びると、脳波が活性化する効果があることが知られている。このため、この浴光装置１では、所定の波長及び明るさの光を眼に照射することで、身体の活性化を図ることができる。
【００９０】
また、上述したように、本実施の形態に係る浴光装置１における、一方の発光モジュール９は、白色光源９１と、青色光源９２とを有し、他方の発光モジュール１０は、青色光源９２を有する。そして、一方の発光モジュール９における青色光源９２は、白色光源９１よりも、開口３１と対向する筐体３の底部３２側に設けられる。
【００９１】
これによれば、一方の発光モジュール９の白色光源９１が開口側に位置し、他方の発光モジュール１０の青色光源９２が開口側に位置するため、一方側から出射される光が白色に見え、他方側から出射される光が青色に見える。つまり、透光板１３における一方から他方側（本実施の形態では、Ｚ軸マイナス方向側からＺ軸プラス方向側）に向かうに従って、グラデーションのように白色から次第に青色に変化する。このような浴光装置１では、青空のように見えるため、安心感を抱く。
【００９２】
（その他変形例等）
以上、本発明に係る発光装置について、実施の形態に基づいて説明したが、本発明は、上記実施の形態に限定されるものではない。
【００９３】
例えば、上記実施の形態において、発光装置の一例として浴光装置を用いているが、これに限定されず、例えば、発光装置は照明装置であってもよい。この場合、照明装置が青みの強い光を出射すると、例えば、オフィスなどの環境では、人や設備などの対象物が青みがかって見えるため、使用者が違和感を覚え易い。このため、青色光源のデューティ比を７５％以下に制御すれば、青色光源のデューティ比が１００％の場合に比べて、使用者が感じる違和感を抑制することができる。
【００９４】
また、上記実施の形態において、浴光装置を平面視した場合（Ｘ軸プラス方向側から見た場合）の形状は、長方形状であるが、この形状は長方形状に限定されない。例えば、円形状、三角形状等の多角形状、半月形状等であってもよく、これらの形状を組み合わせた形状であってもよい。また、例えば、浴光装置が円形状の場合、発光モジュールは筐体の内周面に一様に設けられていてもよく、円の中心に対して点対称になるように一対の発光モジュールが設けられていてもよい。言い換えれば、円弧状の一対の発光モジュールが互いに対称に設けられていてもよい。つまり、第２出射領域は、出射領域の外縁の一部に接していればよい。
【００９５】
また、上記実施の形態において、複数の光源の光軸がＸ軸プラス方向を向くように、複数の光源が筐体の底部に一様に設けられていてもよい。例えば、筐体の底部には、光源が千鳥格子状、市松模様等のように配列されていてもよい。青色光源と白色光源とは、各々が１つ以上づつ交互に並んでいてもよく、各々が複数個で形成した列ごとに交互に並べられていてもよい。また、複数の白色光源を一列に並べ、白色光源を挟むように、青色光源を白色光源の両脇に配置してもよい。
【００９６】
また、上記実施の形態において、青色光源のみが点灯してもよく、白色光源のみが点灯することができてもよい。使用者の操作により、青色光源のみが点灯している状態で、白色光源をさらに点灯させることができてもよく、この逆ができてもよい。また、点灯している青色光源を消灯させるとともに、消灯している白色光源を点灯させることができてもよく、この逆ができてもよい（青色光源及び白色光源の点灯及び消灯の切替え）。
【００９７】
また、上記実施の形態において、白色光源においてもＰＷＭ調光を行うことで点灯と消灯とを繰り返すように制御してもよい。この場合、白色光源における点灯及び消灯を青色光源における点灯及び消灯に同期させる。
【００９８】
また、上記実施の形態において、白色光源又は青色光源のいずれかのみが点灯する場合において、次第に輝度が変化するようなグラデーション領域が設けられていてもよい。つまり、単色でも、輝度の違いにより、グラデーション領域が設けられてもよい。
【００９９】
また、上記実施の形態において、浴光装置には操作部が電気的に接続されているが、無線通信を行うリモートコントローラにより浴光装置を操作（電源のＯＮ、ＯＦＦ等の操作）することができてもよい。無線通信は、リモートコントローラと無線通信を行う通信部を浴光装置に設けることにより実現する。通信部は、例えば、ＺｉｇＢｅｅ（登録商標）、Ｗｉ−Ｆｉ（登録商標）、ＢｌｕｅＴｏｏｔｈ（登録商標）などの近距離無線機能を有する装置である。
【０１００】
また、上記実施の形態において、光源は、配線基板上にＬＥＤチップが直接的に実装されたＣＯＢ（Ｃｈｉｐ  Ｏｎ  Ｂｏａｒｄ）型のモジュールが用いられてもよい。また、光源が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【０１０１】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１０２】
１  浴光装置（発光装置）
３  筐体
９  一方の発光モジュール（発光モジュール）
１０  他方の発光モジュール（発光モジュール）
１３  透光板
１７  制御部
３１  開口
３２  底部
９１  白色光源
９２  青色光源
【図１】
2018088373.tif 000003
【図２】
2018088373.tif 000004
【図３】
2018088373.tif 000005
【図４】
2018088373.tif 000006
【図５】
2018088373.tif 000007
【図６】
2018088373.tif 000008
【図７】
2018088373.tif 000009